(57)【特許請求の範囲】
【請求項１】
画像データに基づき記録材へ画像形成を行う画像形成手段によって記録材に形成された画像から得られた情報である画像情報を処理する画像情報処理装置であって、
前記画像形成手段にて形成される画像の階調不具合を補正するための変換処理が予め施された画像データに基づき当該画像形成手段が記録材に形成した診断用画像であって当該画像形成手段の診断に用いる当該診断用画像から得られた画像情報を取得する取得手段と、
前記取得手段により取得された画像情報に対し、前記変換処理とは逆の逆変換処理を行う逆変換手段と、
前記逆変換処理が行われた画像情報の階調特性である逆変換後階調特性が、階調特性に関して設定された予め定められた条件を満たしているか否かを判断する判断手段と、
前記逆変換後階調特性が前記予め定められた条件を満たしていないと前記判断手段にて判断された場合に、前記画像形成手段が画像形成を行う際の画像形成条件を変更する変更手段と、
を備える画像情報処理装置。
【請求項２】
前記変更手段による前記画像形成条件の変更が行われる場合に、前記変換処理の処理条件を変更する変更手段を更に備えることを特徴とする請求項１に記載の画像情報処理装置。
【請求項３】
前記階調不具合を補正するための前記変換処理には、第１の変換処理および第２の変換処理を含む複数回の変換処理が含まれ、
前記取得手段は、前記第１の変換処理および前記第２の変換処理を含む前記複数回の変換処理が行われた画像データに基づき記録材に形成された前記診断用画像から得られた情報を、前記画像情報として取得し、
前記逆変換手段は、前記画像情報に対し、前記第１の変換処理とは逆の第１の逆変換処理を行うとともに、前記第２の変換処理とは逆の第２の逆変換処理を行い、
前記第１の逆変換処理および前記第２の逆変換処理のうちの一方の逆変換処理が行われ他方の逆変換処理が行われていない画像情報の階調特性が、階調特性に関して設定された予め定められた条件を満たしているか否かを判断する判断手段をさらに備えることを特徴とする請求項１又は２に記載の画像情報処理装置。
【請求項４】
画像データに基づき記録材に画像を形成する画像形成手段と、
前記画像形成手段にて形成される画像の階調不具合を補正するための変換処理を、前記画像データに対して行う変換処理手段と、
前記変換処理が施された前記画像データに基づき前記画像形成手段が記録材に形成した診断用画像であって当該画像形成手段の診断に用いる当該診断用画像から得られた情報である画像情報を取得する取得手段と、
前記取得手段により取得された画像情報に対し、前記変換処理とは逆の逆変換処理を行う逆変換手段と、
前記逆変換処理が行われた画像情報の階調特性である逆変換後階調特性が、階調特性に関して設定された予め定められた条件を満たしているか否かを判断する判断手段と、
前記逆変換後階調特性が前記予め定められた条件を満たしていないと前記判断手段にて判断された場合に、前記画像形成手段が画像形成を行う際の画像形成条件を変更する変更手段と、
を備える画像形成装置。
【請求項５】
画像データに基づき記録材へ画像形成を行う画像形成手段によって記録材に形成された画像から得られた情報である画像情報を処理するコンピュータ装置にて用いられるプログラムであって、
前記画像形成手段にて形成される画像の階調不具合を補正するための変換処理が予め施された画像データに基づき当該画像形成手段が記録材に形成した診断用画像であって当該画像形成手段の診断に用いる当該診断用画像から得られた画像情報に対し、当該変換処理とは逆の逆変換処理を行う逆変換機能と、
前記逆変換処理が行われた画像情報の階調特性である逆変換後階調特性が、階調特性に関して設定された予め定められた条件を満たしているか否かを判断する判断機能と、
前記逆変換後階調特性が前記予め定められた条件を満たしていないと前記判断機能により判断された場合に、前記画像形成手段が画像形成を行う際の画像形成条件を変更する変更機能と、
を前記コンピュータ装置に実現させるためのプログラム。
【発明の詳細な説明】
【技術分野】
【０００１】
本発明は、画像情報処理装置、画像形成装置、および、プログラムに関する。
【背景技術】
【０００２】
特許文献１、特許文献２には、複数の拠点毎に設置された出力装置と、これらの出力装置から出力されるカラーチャートの色彩や濃度をそれぞれ測定する測色計と、これらの測色計によるカラーチャートの測色値と基準となるカラーチャートの測色値を管理する管理サーバーが開示されている。
【先行技術文献】
【特許文献】
【０００３】
【特許文献１】特開２００５−２１９３３１号公報
【特許文献２】特開２００５−２７７７６２号公報
【発明の概要】
【発明が解決しようとする課題】
【０００４】
本発明の目的は、画質を低下させる要因が画像形成部にあるか否かをより明確に判別できるようにすることにある。
【課題を解決するための手段】
【０００５】
請求項１に記載の発明は、画像データに基づき記録材へ画像形成を行う画像形成手段によって記録材に形成された画像から得られた情報である画像情報を処理する画像情報処理装置であって、前記画像形成手段にて形成される画像の階調不具合を補正するための変換処理が予め施された画像データに基づき当該画像形成手段が記録材に形成した診断用画像であって当該画像形成手段の診断に用いる当該診断用画像から得られた画像情報を取得する取得手段と、前記取得手段により取得された画像情報に対し、前記変換処理とは逆の逆変換処理を行う逆変換手段と、前記逆変換処理が行われた画像情報の階調特性である逆変換後階調特性が、階調特性に関して設定された予め定められた条件を満たしているか否かを判断する判断手段と、前記逆変換後階調特性が前記予め定められた条件を満たしていないと前記判断手段にて判断された場合に、前記画像形成手段が画像形成を行う際の画像形成条件を変更する変更手段と、を備える画像情報処理装置である。
請求項２に記載の発明は、前記変更手段による前記画像形成条件の変更が行われる場合に、前記変換処理の処理条件を変更する変更手段を更に備えることを特徴とする請求項１に記載の画像情報処理装置である。
請求項３に記載の発明は、前記階調不具合を補正するための前記変換処理には、第１の変換処理および第２の変換処理を含む複数回の変換処理が含まれ、前記取得手段は、前記第１の変換処理および前記第２の変換処理を含む前記複数回の変換処理が行われた画像データに基づき記録材に形成された前記診断用画像から得られた情報を、前記画像情報として取得し、前記逆変換手段は、前記画像情報に対し、前記第１の変換処理とは逆の第１の逆変換処理を行うとともに、前記第２の変換処理とは逆の第２の逆変換処理を行い、前記第１の逆変換処理および前記第２の逆変換処理のうちの一方の逆変換処理が行われ他方の逆変換処理が行われていない画像情報の階調特性が、階調特性に関して設定された予め定められた条件を満たしているか否かを判断する判断手段をさらに備えることを特徴とする請求項１又は２に記載の画像情報処理装置である。
請求項４に記載の発明は、画像データに基づき記録材に画像を形成する画像形成手段と、前記画像形成手段にて形成される画像の階調不具合を補正するための変換処理を、前記画像データに対して行う変換処理手段と、前記変換処理が施された前記画像データに基づき前記画像形成手段が記録材に形成した診断用画像であって当該画像形成手段の診断に用いる当該診断用画像から得られた情報である画像情報を取得する取得手段と、前記取得手段により取得された画像情報に対し、前記変換処理とは逆の逆変換処理を行う逆変換手段と、前記逆変換処理が行われた画像情報の階調特性である逆変換後階調特性が、階調特性に関して設定された予め定められた条件を満たしているか否かを判断する判断手段と、前記逆変換後階調特性が前記予め定められた条件を満たしていないと前記判断手段にて判断された場合に、前記画像形成手段が画像形成を行う際の画像形成条件を変更する変更手段と、を備える画像形成装置である。
請求項５に記載の発明は、画像データに基づき記録材へ画像形成を行う画像形成手段によって記録材に形成された画像から得られた情報である画像情報を処理するコンピュータ装置にて用いられるプログラムであって、前記画像形成手段にて形成される画像の階調不具合を補正するための変換処理が予め施された画像データに基づき当該画像形成手段が記録材に形成した診断用画像であって当該画像形成手段の診断に用いる当該診断用画像から得られた画像情報に対し、当該変換処理とは逆の逆変換処理を行う逆変換機能と、前記逆変換処理が行われた画像情報の階調特性である逆変換後階調特性が、階調特性に関して設定された予め定められた条件を満たしているか否かを判断する判断機能と、前記逆変換後階調特性が前記予め定められた条件を満たしていないと前記判断機能により判断された場合に、前記画像形成手段が画像形成を行う際の画像形成条件を変更する変更機能と、を前記コンピュータ装置に実現させるためのプログラムである。
【発明の効果】
【０００６】
請求項１の発明によれば、画質を低下させる要因が画像形成手段にあるか否かをより明確に判別できるようになり、また、画像形成手段に存在する画質低下の要因を解消できるようになる。
請求項２の発明によれば、変換処理に起因して生じる画質低下を抑制できるようになる。
請求項３の発明によれば、変換処理に画質を低下させる要因があるか否かを判別できるようになる。
請求項４の発明によれば、画質を低下させる要因が画像形成手段にあるか否かをより明確に判別できるようになり、また、画像形成手段に存在する画質低下の要因を解消できるようになる。
請求項５の発明によれば、画質を低下させる要因が画像形成手段にあるか否かをより明確に判別できるようになり、また、画像形成手段に存在する画質低下の要因を解消できるようになる。
【図面の簡単な説明】
【０００７】
【図１】本実施形態の画像形成システムの全体構成を示した図である。
【図２】画像形成システムの通常時の動作を説明するための図である。
【図３】ソフトキャリブＬＵＴの更新時の処理を説明する図である。
【図４】システムの診断処理を説明する図である。
【図５】画像形成システムの通常時に実施される処理の流れを示したフローチャートである。
【図６】ソフトキャリブＬＵＴの更新処理の流れを示したフローチャートである。
【図７】形成される画像の階調特性を示した図である。
【図８】画像形成部の診断処理を説明するためのである。
【図９】図８にて示した処理の流れを説明するための図である。
【図１０】図２にて示した画像処理部および画像形成制御部の内部構成を示した図である。
【発明を実施するための形態】
【０００８】
以下、添付図面を参照して、本発明の実施の形態について詳細に説明する。
図１は、本実施形態の画像形成システム１の全体構成を示した図である。
同図に示すように、本実施形態の画像形成システム１には、電子写真方式によって記録材の一例としての用紙に対してカラーの画像を形成する画像形成装置１００が設けられている。また、ＵＩ（User Interface）装置４００から送信されてきた画像データに対して予め定められた画像処理を施した後に、この画像データを画像形成装置１００に出力する画像処理装置２００が設けられている。ここで、ＵＩ装置４００は、例えばＰＣ（Personal Computer）より構成される。
【０００９】
画像処理装置２００は、印刷ジョブ内に含まれる画像データに対して画像処理を行う処理本体部２１０、処理本体部２１０などから送られてくる情報を時間情報とともに蓄積する履歴保管部２２０、後述するソフトキャリブＬＵＴ（ソフトキャリブレーションＬＵＴ）の更新を行うソフトキャリブレーション処理部２３０が設けられている。さらに、本実施形態の画像形成システム１には、ＰＣ（Personal Computer）などにより構成され、画像形成装置１００や画像処理装置２００からの情報が集約される情報集約装置３００が設けられている。
【００１０】
図２は、画像形成システム１の通常時の動作を説明するための図である。
通常時の動作では、まず、ＵＩ装置４００から送信されてきた印刷ジョブを、処理本体部２１０に設けられたジョブ受信部２１１が受信し、さらに、ジョブ受信部２１１によって、印刷ジョブが、画像データと処理条件とに分けられる（図中、（１）参照）。そして、画像データは画像処理部２１２に出力され、処理条件は第１指示解釈部２１３に出力される。
【００１１】
次いで、第１指示解釈部２１３が処理条件を解析し、さらに、解析結果に基づき画像処理条件を決定する。そして、第１指示解釈部２１３は、処理条件保持部２１４に対し、画像処理条件の出力指示を行う。これにより、（２）に示すように、第１指示解釈部２１３により決定された上記画像処理条件に合致した画像処理条件が、処理条件保持部２１４から画像処理部２１２へ出力される。
【００１２】
また、処理条件保持部２１４から画像処理部２１２へは、処理条件保持部２１４内に格納されているソフトキャリブＬＵＴが送信される。付言すると、画質の調整（階調の調整）に用いられるＬＵＴ（Look Up Table）である、ソフトキャリブＬＵＴが送信される。なお、ソフトキャリブＬＵＴは、後述する色管理チャートの読み取り結果に応じて生成される更新型のＬＵＴである。
その後、画像処理部２１２にて、処理条件保持部２１４から送信されてきた画像処理条件、および、ソフトキャリブＬＵＴが用いられて、画像データに対する画像処理が実行される（（３）参照）。
【００１３】
なお、本実施形態では、第１指示解釈部２１３によって決定された上記画像処理条件は、（４）に示すように、履歴保管部２２０の履歴蓄積部２２１に送信される。そして、この画像処理条件は、時間情報とともに履歴蓄積部２２１に蓄積される。付言すると、本実施形態では、第１指示解釈部２１３にて画像処理条件が決定される度に、決定された画像処理条件と時間情報（画像処理条件が決定された際の日時情報など）とが、履歴蓄積部２２１に蓄積される。これにより、本実施形態では、第１指示解釈部２１３による画像処理条件の決定履歴が、履歴蓄積部２２１内に生成されるようになる。
【００１４】
また、本実施形態では、ジョブ受信部２１１から第１指示解釈部２１３へ送信された処理条件が、（５）で示すように、画像形成装置１００の装置制御部１１０に設けられた第２指示解釈部１１１へさらに送信される（転送される）。これにより、第２指示解釈部１１１では、用紙情報などの画像形成に関する情報が取得される。
【００１５】
また、本実施形態では、（６）に示すように、画像処理部２１２による画像処理が施された画像データ（ソフトキャリブＬＵＴなどが用いられての画像処理が施された画像データ）が、画像形成装置１００に送信される。そして、この画像データは、画像形成装置１００に設けられた画像受信部１２０にて受信され、さらに、画像受信部１２０から、装置制御部１１０内の画像形成制御部１１２へ出力される。
【００１６】
さらに、本実施形態では、第２指示解釈部１１１が、第１指示解釈部２１３から送信されてきた処理条件を解析し、さらに、解析結果に基づき画像形成条件を決定する。さらに、第２指示解釈部１１１は、（７）で示すように、制御条件保持部１１３に対し、画像形成条件の出力指示を行う。これにより、第２指示解釈部１１１により決定された上記画像形成条件に合致した画像形成条件が、制御条件保持部１１３から画像形成制御部１１２へと出力される。
【００１７】
また、本実施形態では、画像受信部１２０から画像形成制御部１１２へ出力された画像データに対し、画像形成制御部１１２にて、デバイスキャリブレーションにより作成されるデバイスキャリブＬＵＴ（デバイスキャリブレーションＬＵＴ）を用いての画像処理が行われる。付言すると、画像形成制御部１１２にはデバイスキャリブＬＵＴが予め格納されており、画像形成制御部１１２は、このデバイスキャリブＬＵＴを用いて、画像データに対する画像処理を行う。そして、画像形成制御部１１２は、画像処理を行ったこの画像データを、画像形成手段の一例としての画像形成部１３０に出力する。そして、画像形成制御部１１２による制御の下、画像データに基づく用紙への画像形成が、画像形成部１３０にて行われる（（８）参照）。
【００１８】
ここで、デバイスキャリブＬＵＴは、ソフトキャリブＬＵＴと同様、画質の調整（階調の調整）に用いられるＬＵＴ（Look Up Table）である。また、デバイスキャリブＬＵＴは、画像形成部１３０に設けられた中間転写体（不図示）の上に作成されたパッチ状の画像を読み取ることにより得られた読み取りデータに基づき生成されるＬＵＴである。
【００１９】
付言すると、本実施形態の画像形成部１３０は、記録材である用紙に対して電子写真方式を用いて画像を形成する。電子写真方式では、帯電装置によって予め定められた電位に帯電された感光体ドラムの表面に露光装置によって光照射がなされ静電潜像が形成される。そして、現像装置がトナーを感光体ドラムの表面に付着させることで現像が行われ、感光体ドラムの表面にはトナー像が形成される。そして、このトナー像が、中間転写体を介して用紙に転写されることで、用紙への画像形成が行われる。
【００２０】
デバイスキャリブＬＵＴの生成の際には、まず、感光体ドラム上に、パッチ状且つ濃度が互いに異なる複数の画像を形成する。そして、この複数の画像を中間転写体に転写するとともに、不図示のセンサを用い、この複数の画像の読み取りを行う。そして、デバイスキャリブＬＵＴは、この複数の画像の読み取り結果に基づき生成される。デバイスキャリブＬＵＴを用い、画像データに対する画像処理（補正処理）を行うことで、画像形成部１３０に起因して発生する画質の不具合（階調不具合）が生じにくくなる。
【００２１】
次に、図３（ソフトキャリブＬＵＴの更新時の処理を説明する図）を参照し、ソフトキャリブＬＵＴの更新処理について説明する。
ここで、画像形成装置１００では、温湿度の変化などに応じて、形成される画像の質が変動する。このような場合に、常に同じソフトキャリブＬＵＴを用いていると、画像の質の変動に対応できず、形成される画像の質の低下を招く。このため、本実施形態では、ソフトキャリブＬＵＴの更新処理を実施する。
【００２２】
ソフトキャリブＬＵＴの更新時には、（１）に示すように、ＵＩ装置４００からジョブ受信部２１１へ、キャリブレーション専用の画像データ（色管理チャートの元となる画像データ）と処理条件とが送信される。そして、（２）に示すように、画像データは、画像処理部２１２へ送信され、処理条件は、第１指示解釈部２１３を経由してキャリブレーション指示受信部２３１へ送信される。なお、（４）で示すように、処理条件は、履歴蓄積部２２１にも送信され、この履歴蓄積部２２１には、処理条件と時間情報（処理条件がＵＩ装置４００から送信されてきた際の日時情報等）とが格納される。
【００２３】
処理条件がキャリブレーション指示受信部２３１にて受信されると、キャリブレーション指示受信部２３１は、この処理条件を解析し、さらに、解析結果に基づき画像処理条件を決定する。そして、処理条件保持部２１４に対し、画像処理条件の出力指示を行う。これにより、キャリブレーション指示受信部２３１により決定された上記画像処理条件に合致した画像処理条件が、処理条件保持部２１４から画像処理部２１２へと出力される。また、処理条件保持部２１４から画像処理部２１２へは、処理条件保持部２１４に格納されているソフトキャリブＬＵＴ（更新前のソフトキャリブＬＵＴ）が送信される。
【００２４】
その後、画像処理部２１２にて、処理条件保持部２１４から出力されてきた画像処理条件、ソフトキャリブＬＵＴが用いられ、ジョブ受信部２１１から送信されてきた画像データに対する画像処理が実行される。そして、画像処理が行われた後の画像データは、（５）に示すように、画像形成装置１００へ送信され、画像形成装置１００の画像受信部１２０にて受信される。
【００２５】
また、処理条件がキャリブレーション指示受信部２３１にて受信されると、（３）で示すように、キャリブレーション指示受信部２３１から第２指示解釈部１１１に対して、処理条件が送信（転送）される。その後、第２指示解釈部１１１が、キャリブレーション指示受信部２３１から送信されてきた処理条件を解析し、そして、解析結果に基づき画像形成条件を決定する。そして、第２指示解釈部１１１は、（６）で示すように、制御条件保持部１１３に対し、画像形成条件の出力指示を行う。
【００２６】
これにより、（７）で示すように、第２指示解釈部１１１により決定された上記画像形成条件に合致した画像形成条件が、制御条件保持部１１３から画像形成制御部１１２へと出力される。また、画像形成制御部１１２では、画像受信部１２０から送信されてきた画像データに対し、デバイスキャリブＬＵＴを用いての画像処理が行われる。
【００２７】
次いで、画像形成制御部１１２から画像形成部１３０へ、画像データが出力される。そして、画像形成制御部１１２による制御の下、画像データに基づく用紙への画像形成が、画像形成部１３０によって行われる（（８）参照）。これにより、キャリブレーション専用の画像データに基づく画像が用紙上に形成され、色管理チャートが生成された状態となる。
【００２８】
その後、本実施形態では、ソフトキャリブレーション処理部２３０に設けられた測色制御部２３２から、例えばＵＩ装置４００に対し、予め定められた信号が送信され、ＵＩ装置４００によって、ユーザに対し、測色指示がなされる。これにより、測色器２３３を用いての測色がユーザにより行われ、（９）に示すように、測色データが、測色器２３３から測色制御部２３２へ送られる。なお、ここでは、ユーザによって手動で測色がなされる場合を一例に説明したが、例えば画像形成装置１００内にスキャナ装置を設け、自動で、測色がなされるようにしてもよい。
【００２９】
その後、（１０）に示すように、測色データがキャリブレーション補正計算部２３４に送信され、キャリブレーション補正計算部２３４は、送信されてきた測色データを用いて補正計算を行い、新しいソフトキャリブＬＵＴ（以下、「新ソフトキャリブＬＵＴ」と称する）を生成する。次いで、この新ソフトキャリブＬＵＴが処理条件保持部２１４に送信され、この新ソフトキャリブＬＵＴは、処理条件保持部２１４に格納される。
【００３０】
また、本実施形態では、（１１）に示すように、測色データが、履歴蓄積部２２１に送信されて、履歴蓄積部２２１に格納される。また、新ソフトキャリブＬＵＴが、履歴蓄積部２２１に送信されて、履歴蓄積部２２１に格納される。さらに、上記補正計算の内容である補正計算内容が、履歴蓄積部２２１に送信されて、履歴蓄積部２２１に格納される。付言すると、本実施形態では、上記のとおり、測色データを用いて補正計算を行い、新ソフトキャリブＬＵＴを生成するが、この新ソフトキャリブＬＵＴの生成時に行った計算の内容が、履歴蓄積部２２１に格納される。
【００３１】
ここで、上記でも説明したが、画像形成装置１００においては、温湿度の変化などによって、形成される画像の質が変動する。このような場合に、同じソフトキャリブＬＵＴを使い続けると、画質の変動に対応できなくなる。本実施形態のようにソフトキャリブＬＵＴの更新を行うと、温湿度の変化などによる画質の変動に対応できるようになる。
【００３２】
図４（システムの診断処理を説明する図）を参照し、本実施形態の画像形成システム１にて実施される他の処理をさらに説明する。
本実施形態の画像形成システム１では、システムの診断処理が行われるようになっており、これにより、不具合が発生している場合には、この不具合が検出される。なお、診断処理は、一定の時間が経過する度に行う定時実施としてもよいし、予め定められた処理が実施される際にこの予め定められた処理とともに行うようにしてもよい。例えば、上記測色が行われるタイミングに同期させて診断処理を行うことができる。以下、図４を参照し、診断処理について詳細に説明する。
【００３３】
診断処理が実施される際には、まず、（１）に示すように、履歴蓄積部２２１に蓄積された、処理条件、測色データ、補正計算内容が、情報集約装置３００に設けられた情報取得部３１０へ送信される。また、（２）に示すように、画像形成装置１００に設けられた制御条件保持部１１３に格納されている画像形成条件が、情報取得部３１０へ送信される。次いで、情報解析部３２０が、情報取得部３１０が取得したこれらの情報を解析し、不具合の有無を判定し、そして、不具合が発生していると判断した場合には、不具合の発生個所を特定する。
【００３４】
その後、補正計算部３３０が、補正計算を行い、補正パラメータを生成する。付言すると、情報解析部３２０にて不具合が発生していると判断された場合、補正計算部３３０は、補正計算を行い、この不具合を解消するための補正パラメータを生成する。なお、本実施形態では、補正パラメータの生成に際し、画像処理条件を補正するための画像処理用補正パラメータ、および、画像形成条件を補正するための画像形成用補正パラメータを生成する。
【００３５】
そして、生成された画像処理用補正パラメータは、（３）に示すように、処理本体部２１０内の処理条件保持部２１４へ送信される。また、生成された画像形成用補正パラメータは、（４）に示すように、画像形成装置１００の制御条件保持部１１３へ送信される。
【００３６】
そして、処理条件保持部２１４では、送信されてきた画像処理用補正パラメータが用いられて、画像処理条件の更新処理が行われ、新たな画像処理条件が生成される。また、制御条件保持部１１３では、送信されてきた画像形成用補正パラメータが用いられて、画像形成条件の更新処理が行われ、新たな画像形成条件が生成される。そして、以後の処理では、この新たな画像処理条件および画像形成条件が用いられて、画像処理および画像形成が行われる。
【００３７】
なお、上記では説明を省略したが、情報集約装置３００は、画像形成装置１００や画像処理装置２００の傍に設けてもよいし、画像形成装置１００や画像処理装置２００から離れた遠隔地に設けてもよい。遠隔地に設けた場合には、複数台の画像形成装置１００および複数台の画像処理装置２００の管理を共通の情報集約装置３００で行えるようになり、また、複数台の画像形成装置１００および複数台の画像処理装置２００の各々において、共通の目標値を設定できるようになる。
【００３８】
また、上記では説明を省略したが、画像形成装置１００、画像処理装置２００、情報集約装置３００の各々が有する上記各機能部は、ソフトウェアとハードウェア資源とが協働することにより実現されている。具体的には、ＲＯＭやハードディスク装置などの記憶装置に、オペレーティングシステム、オペレーティングシステムと協働して各構成部の特定の機能を実行するアプリケーションソフト等のプログラムが記憶されている。そして、ＣＰＵが、これらのプログラムをＲＯＭ等から主記憶装置であるＲＡＭに読み込み、実行することで、上記各機能部が実現される。
【００３９】
なお、ＣＰＵによって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で提供し得る。また、通信回線を用いてダウンロードするようにしてもよい。
【００４０】
次に、図２にて説明した処理（通常時の処理）を、フローチャートを用いてさらに説明する。
図５は、画像形成システム１の通常時に実施される処理の流れを示したフローチャートである。付言すると、図５は、図２を用いて説明した上記処理に含まれる各処理の実施の順序を示した図である。
【００４１】
上記の図２では、説明を省略したが、通常時の処理では、まず、ソフトキャリブＬＵＴの期限が有効であるか否かを判断する（ステップ１０１）。そして、ソフトキャリブＬＵＴの期限が有効である場合には、ステップ１０３の処理に進む。一方で、ソフトキャリブＬＵＴの期限が有効でない場合には、ソフトキャリブＬＵＴの更新処理を行う（ステップ１０２）。なお、ソフトキャリブＬＵＴの更新処理の詳細については後述する。
【００４２】
ステップ１０３では、ＵＩ装置４００から、印刷ジョブを受信する。そして、この印刷ジョブが、画像データと処理条件とに分けられる。そして、第１指示解釈部２１３によって処理条件の解析が行われ（ステップ１０４）、画像処理条件が決定される（ステップ１０５）。その後、上記にて説明したとおり、決定されたこの画像処理条件に合致した画像処理条件、および、ソフトキャリブＬＵＴが、処理条件保持部２１４から画像処理部２１２へ出力される。
【００４３】
さらに、本実施形態では、ステップ１０６にて、ジョブ受信部２１１にて受信された画像データに対する画像処理が実行され、これにより、画像処理が施された画像データである処理済みの画像データ（以下、「処理済み画像データ」と称することがある）が生成される（ステップ１０７）。なお、ステップ１０６にて行われる画像処理では、処理条件保持部２１４から画像処理部２１２へ出力された、画像処理条件、ソフトキャリブＬＵＴが用いられる。
【００４４】
また、本実施形態では、上記にて説明したとおり、第１指示解釈部２１３から第２指示解釈部１１１に対して処理条件がさらに送信され、この第２指示解釈部１１１においても、処理条件の解析が行われる（ステップ１０８）。次いで、第２指示解釈部１１１は、解析結果に基づき、画像形成条件を決定する（ステップ１０９）。
【００４５】
その後、決定したこの画像形成条件に合致した画像形成条件が、制御条件保持部１１３から画像形成制御部１１２へ出力される。その後、画像形成制御部１１２にて、画像データ（処理済み画像データ）に対する、デバイスキャリブＬＵＴを用いての画像処理が行われ、次いで、この画像データが画像形成部１３０に出力される。そして、画像形成制御部１１２による制御の下、この画像データに基づく用紙への画像形成が、画像形成部１３０にて行われる（ステップ１１０）。
【００４６】
次に、図６（ソフトキャリブＬＵＴの更新処理の流れを示したフローチャート）を参照し、上記ステップ１０２にて実施される処理（ソフトキャリブＬＵＴの更新処理）について詳細に説明する。
ソフトキャリブＬＵＴの更新処理の実施時には、まず、実施情報がジョブ受信部２１１にて受信される（ステップ２０１）。詳細には、キャリブレーション専用の画像データ（色管理チャートの元となる画像データ）、および、処理条件が、ジョブ受信部２１１にて受信される。
【００４７】
次いで、キャリブレーション指示受信部２３１によって、処理条件の解析が行われ（ステップ２０２）、画像処理条件が決定される（ステップ２０３）。その後、上記にて説明したとおり、決定されたこの画像処理条件に合致した画像処理条件、および、ソフトキャリブＬＵＴが、処理条件保持部２１４から画像処理部２１２へ出力される。
【００４８】
さらに、ステップ２０４にて、ジョブ受信部２１１にて受信された画像データ（キャリブレーション専用の画像データ）に対する画像処理が実行される。なお、この画像処理では、処理条件保持部２１４から画像処理部２１２へ出力された、上記画像処理条件、ソフトキャリブＬＵＴが用いられる。これにより、上記と同様、処理済み画像データが生成される（ステップ２０５）。
【００４９】
また、本実施形態では、キャリブレーション指示受信部２３１から第２指示解釈部１１１に対して処理条件がさらに送信され、この第２指示解釈部１１１においても、処理条件の解析が行われる（ステップ２０６）。次いで、第２指示解釈部１１１は、解析結果に基づき、画像形成条件を決定する（ステップ２０７）。その後、決定したこの画像形成条件に合致した画像形成条件が、制御条件保持部１１３から画像形成制御部１１２へ出力される。
【００５０】
その後、画像形成制御部１１２にて、画像データ（処理済み画像データ）に対する、デバイスキャリブＬＵＴを用いての画像処理が行われた後、画像データが画像形成部１３０に出力される。そして、画像形成制御部１１２による制御の下、この画像データに基づく用紙への画像形成が、画像形成部１３０にて行われる（ステップ２０８）。これにより、色管理チャートが生成される。
【００５１】
次いで、ユーザによって（測色器２３３によって）、測色が実施され（ステップ２０９）、この測色により得られた測色データが、キャリブレーション補正計算部２３４により保持される（ステップ２１０）。その後、キャリブレーション補正計算部２３４が、保持した測色データと、予め定められた基準階調との比較を行う（ステップ２１１）。
【００５２】
そして、測色データと基準階調との差が予め定められた閾値を超えている場合（測色データが予め定められた条件を満たしていない場合）、キャリブレーション補正計算部２３４は、補正計算を行ってソフトキャリブＬＵＴの補正（更新）を行い、新たなソフトキャリブＬＵＴ（新ソフトキャリブＬＵＴ）を生成する（ステップ２１２）。その後、この新たなソフトキャリブＬＵＴが、処理条件保持部２１４に格納され（保存され）（ステップ２１３）、処理が終了する。
【００５３】
ところで、本実施形態では、上記のとおり、ソフトキャリブＬＵＴやデバイスキャリブＬＵＴが用いられて階調補正が行われ、階調補正後の画像データに基づき、用紙への画像形成が行われる。この場合、階調についての不具合がない状態で画像が形成されるようになる。しかしながら、この場合、画像形成装置１００の画像形成部１３０に階調不具合の原因（例えば、ハードウエア的な不具合）があったしても、この原因が維持されたままで画像の形成が行われてしまう。
【００５４】
ここで、画像形成装置１００の画像形成部１３０に階調不具合の原因がある場合、画像形成部１３０にて形成される画像の階調特性（アナログの階調特性）は、例えば、図７（形成される画像の階調特性を示した図）の（Ａ）に示す状態となる。このような状況下において、本実施形態では、同図（Ｂ）にて実線で示すソフトキャリブＬＵＴ、および、同図（Ｃ）にて実線で示すデバイスキャリブＬＵＴが用いられて、画像データに対する画像処理が実行される。
【００５５】
これにより、本実施形態では、画像形成部１３０に画像データが入力される際、画像データは、上記階調不具合を打ち消す画像データとなっており、この結果、用紙上に実際に形成された画像では、同図（Ｄ）に示すような階調特性が得られるようになる。付言すると、予め定められた階調特性の画像（階調特性に関しては不具合がない画像）が得られるようになる。
【００５６】
ところで、上記のように、画像形成装置１００の画像形成部１３０に階調不具合の原因がある場合、階調についての不具合についてはソフトキャリブＬＵＴ等によってその発生が抑えられるようになるが、その一方で、階調についての画質不具合以外の他の画質不具合については発生するおそれがある。例えば、細線が再現されにくくなるなどの不具合が発生するおそれがある。このため、本実施形態のようにＬＵＴで階調についての不具合を解消できる場合であったとしても、画像形成部１３０に不具合がないか否かを調べ、不具合がある場合にはその原因を解消することが好ましくなる。
【００５７】
そこで、本実施形態では、次の診断処理を実行する。
図８は、画像形成部１３０の診断処理を説明するためのである。
画像形成部１３０の診断処理にあたっては、まず、上記にて説明した色管理チャートを１枚出力する。付言すると、図６にて示したステップ２０１〜２０８と同様の処理を実行し、色管理チャートを１枚出力する（以下、この色管理チャートを「診断用チャート」と称する）。
【００５８】
そして、上記と同様、ユーザに対して測色指示を行う。これにより、上記ステップ２０９と同様、測色器２３３が用いられての測色が行われ、画像情報の一例としての測色データ（以下、「診断用測色データ」と称する）が取得される。なお、図８（Ｅ）は、この診断用測色データにより得られた階調特性を示している。
【００５９】
その後、本実施形態では、診断用測色データが、画像情報処理装置として機能する情報集約装置３００に送信され、取得手段として機能する情報取得部３１０（情報集約装置３００に設けられた情報取得部３１０）が、この診断用測色データを取得する。次いで、補正計算部３３０にて、上記診断用チャートが出力される際に画像データに対して施された画像処理（デバイスキャリブＬＵＴ、ソフトキャリブＬＵＴによる画像処理）とは逆の画像処理を、診断用測色データに対して施す。
【００６０】
付言すると、本実施形態では、診断用チャートが出力される際に、デバイスキャリブＬＵＴ、ソフトキャリブＬＵＴの各々を用い、画像データを、少なくとも一部の内容が異なる他の画像データへ変換する変換処理が行われるが、画像形成部１３０の診断処理にあたっては、この変換処理とは逆の変換処理である逆変換処理が、逆変換手段として機能する補正計算部３３０によって、診断用測色データに対して施される。
【００６１】
詳細には、デバイスキャリブＬＵＴにより行われる変換処理とは逆の変換処理が診断用測色データに対して施され、さらに、ソフトキャリブＬＵＴにより行われる変換処理とは逆の変換処理が、診断用測色データに対して施される。
さらに説明すると、まず、上記診断用チャートが出力される際に画像データに対して施された、デバイスキャリブＬＵＴによる演算処理（変換処理）とは逆の演算処理（以下、「第１逆演算処理」と称する）を、診断用測色データに施し、この第１逆演算処理を施した診断用測色データ（以下、「第１逆演算後測色データ」と称する）を生成する。
【００６２】
次いで、上記診断用チャートが出力される際に画像データに対して施された、ソフトキャリブＬＵＴによる演算処理（変換処理）とは逆の演算処理（以下、「第２逆演算処理」と称する）を、上記第１逆演算後測色データに施し、この第２逆演算処理を施した診断用測色データ（以下、「第２逆演算後測色データ」と称する）を生成する。
【００６３】
なお、第１逆演算後測色データの生成にあたっては、まず、デバイスキャリブＬＵＴを用いて、上記第１逆演算処理に用いるＬＵＴを生成する（以下、このＬＵＴを「第１逆演算ＬＵＴ」と称する）。次いで、この第１逆演算ＬＵＴを用い、診断用測色データに対して演算処理を行い、第１逆演算後測色データを生成する。
【００６４】
また、第２逆演算後測色データの生成にあたっては、ソフトキャリブＬＵＴを用いて、上記第２逆演算処理に用いるＬＵＴを生成する（以下、このＬＵＴを「第２逆演算ＬＵＴ」と称する）。次いで、この第２逆演算ＬＵＴを用い、第１逆演算後測色データに対して演算処理を行い、第２逆演算後測色データを生成する。
【００６５】
なお、上記第１逆演算ＬＵＴおよび第２逆演算ＬＵＴの生成にあたっては、処理条件保持部２１４内に格納されているソフトキャリブＬＵＴ、および、画像形成制御部１１２内に格納されているデバイスキャリブＬＵＴを、情報集約装置３００へ送信する。そして、情報集約装置３００の補正計算部３３０にて、このソフトキャリブＬＵＴ、デバイスキャリブＬＵＴが用いられて、第１逆演算ＬＵＴおよび第２逆演算ＬＵＴが生成される。
【００６６】
図８を参照してさらに説明すると、本実施形態では、同図（Ｅ）にて示している診断用測色データに対し、同図（Ｄ）にて実線で示す第１逆演算ＬＵＴを用いた演算処理を実行する。これにより、同図（Ｃ）で示す階調特性を有した第１逆演算後測色データが得られるようになる。次いで、この第１逆演算後測色データに対し、同図（Ｂ）にて実線で示す第２逆演算ＬＵＴを用いた演算処理を実行する。これにより、同図（Ａ）示す階調特性を有した第２逆演算後測色データが得られるようになる。
【００６７】
ここで、図８（Ａ）に示す測色データ（第２逆演算後測色データ）は、画像形成部１３０が画像を形成する際の階調特性に近い階調特性として捉えることができる。付言すると、デバイスキャリブＬＵＴ、ソフトキャリブＬＵＴによる影響を受けていない、画像形成部１３０が有する固有の階調特性であると捉えることができる。
【００６８】
そして、本実施形態では、判断手段の一例としての補正計算部３３０にて、この階調特性が、予め定められた条件を満たしているか否かが判断される。詳細には、この階調特性が予め定められた基準の階調特性に近いか否かが判断される。そして、この階調特性が予め定められた基準の階調特性に近ければ問題がないと判断する。より具体的には、階調特性により特定される値が、予め定められた範囲内にあるか否かを判断し、階調特性により特定される値が、予め定められた範囲内にある場合には、問題がないと判断する。
【００６９】
その一方で、この階調特性が予め定められた基準の階調特性から大きくずれている場合、不具合が画像形成部１３０に発生している可能性が高く、この場合、変更手段の一部として機能する補正計算部３３０が、画像形成部１３０にて画像形成がなされる際の画像形成条件の変更処理を行う。具体的には、不具合を解消するための補正パラメータを生成する。
ここで、生成する補正パラメータとしては、例えば、感光体ドラムの電位を一例に挙げることができる。詳細には、感光体ドラムの帯電電位を増加しあるいは減じる補正パラメータを一例に挙げることができる。
【００７０】
より具体的に説明すると、階調特性が予め定められた基準の階調特性からずれている場合、例えば、図８（Ａ）にて符号８Ｘで示す、基準の階調特性に対し、図中矢印Ａ方向へ第２逆演算後測色データが移動しているか、あるいは、矢印Ｂ方向へ第２逆演算後測色データが移動しているかを判別するとともに、基準の階調特性に対する移動量を把握する。そして、第２逆演算後測色データの移動方向に応じて、帯電電位を増加させるかあるいは低下させるかを決定するとともに、基準の階調特性に対する移動量に応じて、帯電電位の増加量あるいは低下量を決定する。そして、これらの決定の内容を反映した補正パラメータを生成する。
【００７１】
そして、本実施形態では、情報集約装置３００の情報送信部３４０が、生成されたこの補正パラメータを、画像形成装置１００の制御条件保持部１１３に送信する。そして、制御条件保持部１１３では、この補正パラメータが用いられて、画像形成条件の補正処理が行われ、以後の画像形成処理では、補正後の画像形成条件の下で画像形成が行われる。これにより、画像形成部１３０における階調特性が、予め定められた基準の階調特性に近い状態で、画像形成がなされるようになる。
【００７２】
なお、画像形成部１３０における階調特性を補正した場合、ソフトキャリブＬＵＴおよびデバイスキャリブＬＵＴをそのまま用いると、今度は、ソフトキャリブＬＵＴおよびデバイスキャリブＬＵＴに起因して画質不具合が起こりうる。このため、本実施形態では、画像形成部１３０における階調特性を補正した場合は、変更手段として機能するソフトキャリブレーション処理部２３０、画像形成制御部１１２による制御の下、ソフトキャリブＬＵＴおよびデバイスキャリブＬＵＴの更新処理が実施される。これにより、ソフトキャリブＬＵＴによる画像処理の処理条件が変更され、また、デバイスキャリブＬＵＴによる画像処理の処理条件が変更される。
【００７３】
図９は、図８にて示した処理の流れを説明するための図である。
画像形成部１３０の診断処理にあたっては、まず、上記にて説明したとおり、診断用チャートの測色により得られた診断用測色データを取得する（ステップ３０１）。また、画像形成制御部１１２に格納されているデバイスキャリブＬＵＴ（診断用チャートの出力時に用いられたデバイスキャリブＬＵＴ）を取得する（ステップ３０２）。さらに、処理条件保持部２１４に格納されているソフトキャリブＬＵＴ（診断用チャートの出力時に用いられたソフトキャリブＬＵＴ）を取得する（ステップ３０３）。
【００７４】
さらに、上記ステップ３０２にて取得されたデバイスキャリブＬＵＴを用いて、上記第１逆演算ＬＵＴを生成し、また、上記ステップ３０３にて取得されたソフトキャリブＬＵＴを用いて、上記第２逆演算ＬＵＴを生成する。
次いで、ステップ３０１にて得られた診断用測色データに対し、上記第１逆演算ＬＵＴを用いて演算処理を行い、第１逆演算後測色データを生成し（ステップ３０４）、また、この第１逆演算後測色データに対し、上記第２逆演算ＬＵＴを用いて演算処理を行い、第２逆演算後測色データを生成する（ステップ３０５）。
【００７５】
その後、第２逆演算後測色データと基準階調との比較を行い（ステップ３０６）、第２逆演算後画像データが予め定められた条件を満たしているかを判断する。そして、予め定められた条件を満たしていない場合には、画像形成部１３０における不具合の箇所を特定し（ステップ３０７）、次いで、この不具合を解消するための補正パラメータを生成する（ステップ３０８）。そして、この補正パラメータが、装置制御部１１０の制御条件保持部１１３へ送信される（ステップ３０９）。その後、制御条件保持部１１３に格納されている画像形成条件が、この補正パラメータにより補正される。
【００７６】
なお、上記では説明を省略したが、本実施形態では、第１逆演算後測色データについても、補正計算部３３０（判断手段の一例）にて、予め定められた条件を満たしているかの判断が行われる。付言すると、本実施形態では、図９における符号９Ａに示すように、第１逆演算後測色データについても、予め定められた基準階調との比較を行う。さらに説明すると、本実施形態では、第１逆演算ＬＵＴを用いた演算処理、第２逆演算ＬＵＴを用いた演算処理のうちの一方の演算処理が行われ他方の演算処理が行われていない測色データについて、予め定められた基準階調との比較を行う。
【００７７】
そして、第１逆演算後測色データと基準階調との比較を行い、第１逆演算後画像データが予め定められた条件を満たしていない場合には、デバイスキャリブＬＵＴの再作成指示が、情報集約装置３００から画像形成装置１００の画像形成制御部１１２へ送信され、これに応じ、画像形成装置１００では、デバイスキャリブＬＵＴの再作成（パッチの作成、パッチの読み取り）が行われる。
【００７８】
ここで、デバイスキャリブＬＵＴによる処理の処理量が大きい場合、処理量が小さい場合に比べ、画像データの変化量が大きくなる。かかる場合、トーンジャンプなどの画質不具合を招きやすくなる。このため、本実施形態では、上記のとおり、予め定められた基準階調との比較を行うことで、デバイスキャリブＬＵＴによる処理の処理量を把握する。そして、処理量が大きい場合には、上記のとおり、デバイスキャリブＬＵＴの再作成を行う。これにより、デバイスキャリブＬＵＴに起因する画質不具合が小さくなる。
【００７９】
また、図９では、図示をしていないが、情報集約装置３００にて、第１逆演算後測色データと第２逆演算後測色データとに基づき、ソフトキャリブＬＵＴによる処理量が大きいか否かを判別するようにしてもよい。そして、上記と同様、ソフトキャリブＬＵＴによる処理量が大きい場合、ソフトキャリブＬＵＴの再作成を行うことができる。上記と同様、ソフトキャリブＬＵＴによる処理にあたっては、その処理量が大きくなるほど、トーンジャンプなどの画質の不具合を招きやすくなる。処理量を小さくすれば、このような画質不具合が起きにくくなる。
【００８０】
図１０は、図２にて示した画像処理部２１２および画像形成制御部１１２の内部構成を示した図である。
上記では説明を省略したが、画像処理装置２００の画像処理部２１２には、ジョブ受信部２１１から送られてくる画像データを異なる色空間の画像データに変換する色変換処理部９１、固定ＬＵＴを用いて画像データに対する階調補正を行う固定階調補正部９２が設けられている。ここで、固定ＬＵＴは、工場出荷段階のときなどにメモリに書きこまれたＬＵＴであって更新が予定されていないＬＵＴである。
【００８１】
さらに、ユーザにより設定された条件に基づき画像データに対する階調補正を行うユーザ階調補正部９３、ソフトキャリブＬＵＴを用いて階調補正を行うキャリブレーション実施部９４が設けられている。なお、ユーザ階調補正部９３は、ユーザによる階調補正の指示がある場合に階調補正を行うが、この指示がない場合には階調補正を行わない。
【００８２】
さらに、画像形成装置１００の画像形成制御部１１２には、階調検出部８１、階調補正計算部８２、動的階調補正部８３、電位補正計算部８４、電位制御部８５が設けられている。
階調検出部８１は、画像形成部１３０を動作させて中間転写体上にパッチを形成するともに、センサにより取得された、このパッチの読み取りデータを取得し、さらに、この読み取りデータに基づき、パッチにより形成された画像の階調を把握する。
【００８３】
階調補正計算部８２は、階調検出部８１により把握された階調に基づき、デバイスキャリブＬＵＴの補正に用いる補正パラメータを生成する。なお、生成された補正パラメータは、動的階調補正部８３に出力される。
動的階調補正部８３には、デバイスキャリブＬＵＴが格納されており、画像処理装置２００側から送信されてきた画像データに対し、デバイスキャリブＬＵＴを用いて画像処理を実行する。また、動的階調補正部８３は、階調補正計算部８２から補正パラメータが送信されてきた場合、この補正パラメータを用い、デバイスキャリブＬＵＴの補正を行う。
【００８４】
電位補正計算部８４は、階調検出部８１により把握された階調に基づき、帯電装置が感光体ドラムの帯電を行う際の帯電電位の補正パラメータを生成する。なお、生成された補正パラメータは、電位制御部８５に出力される。
電位制御部８５は、制御条件保持部１１３から出力されてくる画像形成条件に基づき、帯電装置が感光体ドラムの帯電を行う際の帯電電位の制御を行うとともに、電位補正計算部８４から上記補正パラメータが送信されてきた場合には、画像形成条件をこの補正パラメータで補正したうえで、帯電電位の制御を行う。
【００８５】
以上、本実施形態の構成を説明したが、上記以外の構成（変形例等）も考えることができる。
例えば、本実施形態では、図８、図９にてした診断処理のときに、診断専用の色管理チャート（診断用チャート）を出力し、この色管理チャートの読み取り結果に基づき、画像形成部１３０についての診断を行った。
【００８６】
ところで、このような専用の色管理チャートを出力しないでも、画像形成部１３０の診断は行える。例えば、ソフトキャリブＬＵＴの更新時には色管理チャートが出力され、この色管理チャートの読み取りが行われるが、この読み取りの結果に基づき、画像形成部１３０についての診断を行うようにしてもよい。この場合、ソフトキャリブＬＵＴの更新処理が行われる際に、併せて、画像形成部１３０の診断が行われる形となり、画像形成部１３０の診断のための特別な操作をユーザが行わないでも、画像形成部１３０の診断が行われるようになる。
【００８７】
付言すると、ソフトキャリブＬＵＴの更新時には色管理チャートの読み取りが行われ、これにより、測色データ取得される。そして、この測色データに対し、上記の第１逆演算ＬＵＴおよび第２逆演算ＬＵＴで処理を行えば、上記にて説明した、第２逆演算後測色データが得られるようになる。そして、この第２逆演算後測色データが予め定められた条件を満たしているか否かを判断することで、画像形成部１３０についての診断を行えるようになる。
【００８８】
また、上記では、デバイスキャリブＬＵＴ、ソフトキャリブＬＵＴの二つのＬＵＴについて、逆演算処理を行う場合を一例に説明したが、本実施形態では、この二つのＬＵＴ以外に、例えば、ユーザ階調補正部９３に格納されているＬＵＴによっても、画像処理が行われる場合がありうる。このような場合は、ユーザ階調補正部９３に格納されているＬＵＴについても、逆演算処理を行うことが好ましくなる。
【００８９】
また、上記では、画像形成装置１００とは別に、画像処理装置２００および情報集約装置３００を設けたが、画像形成装置１００内に、画像処理装置２００および情報集約装置３００と同様の機能を果たす機能部を設けるようにしてもよい。この場合、画像形成装置１００にて、画像形成部１３０の上記診断処理など、上記にて説明した処理が実施される。
【符号の説明】
【００９０】
１００…画像形成装置、１１２…画像形成制御部、１３０…画像形成部、２００…画像処理装置、２３０…ソフトキャリブレーション処理部、３００…情報集約装置、３１０…情報取得部、３３０…補正計算部
【要約】
【課題】画質を低下させる要因が画像形成部にあるか否かをより明確に判別できるようにする。
【解決手段】診断用チャートが出力される際に画像データに対して施された、デバイスキャリブレーションＬＵＴによる演算処理とは逆の演算処理を、診断用測色データに施し、第１逆演算後測色データを生成する。次いで、診断用チャートが出力される際に画像データに対して施された、ソフトキャリブレーションＬＵＴによる演算処理とは逆の演算処理を、第１逆演算後測色データに施し、第２逆演算後測色データを生成する。そして、第２逆演算後測色データが基準の階調特性から大きくずれている場合には、不具合を解消するための補正パラメータを生成する。
【選択図】図８【図１】
0005549774.tif 000002
【図２】
0005549774.tif 000003
【図３】
0005549774.tif 000004
【図４】
0005549774.tif 000005
【図５】
0005549774.tif 000006
【図６】
0005549774.tif 000007
【図７】
0005549774.tif 000008
【図８】
0005549774.tif 000009
【図９】
0005549774.tif 000010
【図１０】
0005549774.tif 000011